(57)【要約】【課題】後方部の液漏れを抑制することができる吸収性物品に関する。【解決手段】吸収性物品は、吸収性コアを有する吸収性を具備する。上記吸収性コアは互いに直交する前後方向と幅方向を有する。上記吸収性コアは互いに直交する前後方向と幅方向を有する。上記吸収性コアは、上記前後方向の両端部側に位置する前方コア部及び後方コア部と、上記前方コア部及び上記後方コア部の間に位置し、上記前方コア部及び上記後方コア部よりも幅が狭い領域を備えた中間コア部とを有する。上記中間コア部は、上記幅方向の中央部に上記中間コア部の幅方向両側部よりも坪量の高い高坪量部を有する。上記後方コア部では、上記幅方向の中央部が上記幅方向両側部よりも高い坪量を有する。【選択図】図６
2020188981.tif 000002
【特許請求の範囲】
【請求項１】
互いに直交する前後方向と幅方向を有する吸収性コアを有する吸収体を具備する吸収性物品であって、
前記吸収性コアは、前記前後方向の両端部側に位置する前方コア部及び後方コア部と、前記前方コア部及び前記後方コア部の間に位置し、前記前方コア部及び前記後方コア部よりも幅が狭い領域を備えた中間コア部とを有し、
前記中間コア部は、前記幅方向の中央部に前記中間コア部の幅方向両側部よりも坪量の高い高坪量部を有し、
前記後方コア部では、前記幅方向の中央部が前記幅方向両側部よりも高い坪量を有する
吸収性物品。
【請求項２】
前記後方コア部は、前記幅方向の中央部に、周囲よりも低坪量の縦溝部を少なくとも１つ有する
請求項１に記載の吸収性物品。
【請求項３】
前記後方コア部は、前記幅方向の中央部に、周囲よりも低坪量の横溝部を少なくとも１つ有する
請求項１又は請求項２に記載の吸収性物品。
【請求項４】
前記吸収体を間に介して対向配置される表面シート及び裏面シートと、
前記裏面シートの前記着用者の肌側に位置する肌側面と対向する非肌側面側に配された賦香領域と、
前記裏面シートの非肌対向面に配された前記着用者の着衣に対して前記吸収性物品を固定する複数の固定手段と
を更に具備し、
前記賦香領域は、平面視で複数の前記固定手段間に配される
請求項１から請求項３のいずれか１項に記載の吸収性物品。
【請求項５】
前記固定手段は、前記幅方向を二分する前記前後方向に延びる中心線上に位置せず、前記中心線を挟んでその両側に一対存在し、
前記固定手段は、前記吸収性コアの中間コア部では、前記吸収性コアの前記幅方向側縁を超えて外方に存在しない
請求項４に記載の吸収性物品。
【発明の詳細な説明】
【技術分野】
【０００１】
本発明は、生理用ナプキン等の吸収性物品に関する。
【背景技術】
【０００２】
生理用ナプキン等のように、下着の内側に配して使用するタイプの吸収性物品は、経血等の液状の排泄物を吸収するための吸収性コアを備えている。例えば特許文献１に記載される吸収性コアには、排泄部対向部から後方部の一部に亘って吸収性コアの長手方向に長い形状の突出部が設けられ、また、着用者の肌に沿うように溝が設けられている。
【先行技術文献】
【特許文献】
【０００３】
【特許文献１】特開２０１５−１１２２３５号公報
【発明の概要】
【発明が解決しようとする課題】
【０００４】
生理用ナプキン等の吸収性物品は、その後方部が着用者の臀部に対応して着用される。吸収性物品の後方部では、臀部等で圧縮されて臀部から離れるように凹変形して吸収性物品と肌との間に隙間が生じやく、液漏れが生じやすい。
【０００５】
本発明の課題は、後方部の液漏れを抑制することができる吸収性物品に関する。
【課題を解決するための手段】
【０００６】
本発明の吸収性物品は、吸収性コアを有する吸収性を具備する。
上記吸収性コアは互いに直交する前後方向と幅方向を有する。
上記吸収性コアは、上記前後方向の両端部側に位置する前方コア部及び後方コア部と、上記前方コア部及び上記後方コア部の間に位置し、上記前方コア部及び上記後方コア部よりも幅が狭い領域を備えた中間コア部とを有する。
上記中間コア部は、上記幅方向の中央部に上記中間コア部の幅方向両側部よりも坪量の高い高坪量部を有する。
上記後方コア部では、上記幅方向の中央部が上記幅方向両側部よりも高い坪量を有する。
【発明の効果】
【０００７】
本発明の吸収性物品によれば、吸収性コアの後方部の液漏れを抑制することができる。
【図面の簡単な説明】
【０００８】
【図１】本発明の実施形態に係る吸収性物品を示す斜視図である。
【図２】上記吸収性物品をＸＹ平面に沿って引き延ばした態様を示す平面図であり、表面シート側から平面視した図である。
【図３】上記吸収性物品をＸＹ平面に沿って引き延ばした態様を示す平面図であり、裏面シート側から平面した図である。
【図４】図２のＩＶ−ＩＶ線で切断した吸収性物品の中間領域の断面図であり、吸収性物品に剥離紙が設けられた態様を示す。
【図５】図２のＶ−Ｖ線で切断した吸収性物品の後方領域の断面図であり、吸収性物品に剥離紙が設けられた態様を示す。
【図６】上記吸収性物品の一部を構成する吸収性コアの平面図である。
【図７】着用者が上記吸収性物品を着用した際の吸収性コアの後方部の形状を説明するための概略図である。
【図８】着用者が上記吸収性物品を着用した際の吸収性物品の後方部の形状を示す概略図であり、（Ａ）は吸収性物品を好ましい位置で着用した時の図であり、（Ｂ）は吸収性物品を幅方向にずれて着用した時の図である。
【図９】吸収性コアの変形例を示す吸収性コアの平面図である。
【発明を実施するための形態】
【０００９】
［ナプキンの全体構成］
図１及び図２では、Ｘ軸方向が吸収性物品１の前後方向、Ｙ軸方向が幅方向、Ｚ軸方向が上下方向（厚み方向）にそれぞれ対応し、Ｘ軸、Ｙ軸、Ｚ軸は互いに直交する。以下、図２に示す態様において吸収性物品１を説明する。
本実施形態の吸収性物品１は、生理用ナプキンとして構成され、以下、ナプキン１と称する。本実施形態のナプキン１は、就寝時に使用されてもよく、例えば前後方向に沿って３０ｃｍ以上の長さを有していてもよい。
【００１０】
図１及び図２に示すように、ナプキン１は、本実施形態において、本体Ｍと、一対のウイング部Ｗと、一対の立体ガードＧと、一対の後方フラップ部Ｆと、を備える。
本体Ｍは、前後方向に延び、着用時に着用者の下着（着衣）の内面（被着用面）に固定される。本体Ｍは、後述する吸収体１１を有しており、着用者の経血等の液状物（以下、「液」とも称する）を吸収する機能を有する。
本体Ｍは、前後方向に沿って区分された、前方領域Ｍ１と、中間領域Ｍ２と、後方領域Ｍ３とを有する。
前方領域Ｍ１は、中間領域Ｍ２の前方（着用者の腹側）に配置される領域であり、着用時に着用者の排泄部の前方に対向するように構成される。
中間領域Ｍ２は、着用時に着用者の排泄部に対向するように構成される。中間領域Ｍ２は、前後方向において後述するウイング部Ｗの全長と重なる領域である。なお、中間領域Ｍ２は、図示のように本体Ｍの前方寄りに位置してもよいし、本体Ｍの中央部に位置してもよい。
後方領域Ｍ３は、中間領域Ｍ２の後方（着用者の背側）に配置される領域であり、着用時に着用者の排泄部の後方に対向するように構成される。
【００１１】
一対のウイング部Ｗは、中間領域Ｍ２において、本体Ｍを挟んで幅方向に互いに対向し、幅方向の外側に大きく突出するように構成される。ナプキン１において一対のウイング部Ｗが幅方向に大きく突出する起点を基部Ｗａとする。
ウイング部Ｗは、着用時に下着を挟んで本体Ｍと対向するように基部Ｗａ付近から折り曲げられ、着用者の下着の外面に固定される。ウイング部Ｗは、着用中におけるナプキン１の位置ずれを防止し、ナプキン１外部への液の漏れを防止する。
【００１２】
立体ガードＧは、本体Ｍの幅方向Ｙ周縁に設けられ、前後方向Ｘに延びるように配置される。立体ガードＧは、着用中に厚み方向に起立し、幅方向の液の漏れを防止することができる。なお、「厚み方向に起立する」とは、着用者側に向かって起立することを意味する。
【００１３】
後方フラップ部Ｆは、後方領域Ｍ３の幅方向の外方に膨出するように構成され、着用時に着用者の下着の内面の臀部に面する領域に着用される。これにより、後方フラップ部Ｆは、後方領域Ｍ３の変位を防止し、後方領域Ｍ３による後ろ漏れ防止機能をサポートすることができる。なお、ナプキン１は、後方フラップ部Ｆを有さない構成でもよい。
【００１４】
［ナプキンの各部の構成］
（本体）
図２〜図５に示すように、本体Ｍは、Ｚ軸方向上方の第１の主面２ａと、第１の主面２ａの反対側のＺ軸方向下方の第２の主面３ａとを有し、吸収体１１の吸収性コア２０を含む。第１の主面２ａは使用時に着用者側に対向する面であり、第２の主面３ａは下着側に対向する面である。
本体Ｍは、裏面シート３と、吸収体１１と、表面シート２とが積層された構成を有する。本体Ｍは、吸収体１１と表面シート２とを一体化する圧搾溝６を有する。尚、図４及び図５においては、便宜的に各構成の縮尺を異ならせて図示しており、実際には、後述する吸収性コア２０に対して、裏面シート３、表面シート２、後述するコアラップシート３０、固定手段としての粘着部５、接着剤Ｂの厚みは薄い。また、図４及び図５において、後述する賦香領域Ｋが設けられる位置を説明するために、便宜的に厚みをもたせて賦香領域Ｋを図示しており、実際には賦香領域Ｋの厚みはほぼない。
【００１５】
吸収体１１は、吸収性コア２０とコアラップシート３０とを有する。
吸収性コア２０は、液を吸収及び保持する機能を有する。吸収性コア２０は、例えば、パルプ繊維等の親水性繊維で構成された繊維集合体で形成されてもよいし、当該繊維集合体に吸水性ポリマーを保持させた構成を有していてもよい。
コアラップシート３０は、吸収性コア２０を被覆し、例えば吸収性コア２０の形状を保持する機能等を有する。コアラップシート３０は、例えばティッシュペーパーのような薄く柔らかい紙や液透過性の不織布等で形成される。
コアラップシート３０は、吸収性コア２０の各部を被覆するコア被覆部と、吸収性コア２０の括れ領域を被覆する一対の括れ被覆部３４とを有する。図４に示すように、一対の括れ被覆部３４は、吸収性コア２０が非存在の領域に設けられ、コアラップシート３０が二重に重なった形状を有する。
コアラップシート３０は例えば被覆前の形状が略矩形状を有し、図４及び図５に示すように、吸収性コア２０の肌側面２０ａ、非肌側面２０ｂ、幅方向Ｙにおける両側端縁を覆うように吸収性コア２０を覆ったときに対向する一対の端部が互いに重なりあって非肌側面２０ｂ側に位置するように配置される。尚、ここでは、コアラップシート３０が２枚重なった部分は非肌側面２０ｂ側に位置する例をあげたが、肌側面２０ａ側に位置してもよい。
【００１６】
表面シート２は、液透過性のシート材として構成され、吸収体１１上に配置される。表面シート２は、本体Ｍにおいてナプキン１のＺ軸方向上方の第１の主面２ａを構成する。
表面シート２には、圧搾溝６が形成されている。
圧搾溝６は、吸収体１１及び表面シート２を圧搾加工することによって形成された線状溝として構成される。圧搾溝６は、図１及び２に示すように本体Ｍを周回するように構成される。
【００１７】
裏面シート３は、吸収体１１を挟んで表面シート２と厚み方向に対向して配置される。裏面シート３は、ナプキン１のＺ軸方向下方の第２の主面３ａを構成する。裏面シート３は、例えば周縁部において、表面シート２及びサイドシート４と接着剤、熱シール等によって接合される。
【００１８】
裏面シート３の第２の主面３ａには、固定手段としての粘着部５が設けられている。
粘着部５は、裏面シート３の外面に設けられ、ナプキン１を下着に対して固定させる機能を有する。各粘着部５は、例えば、裏面シート３に所定のパターンで粘着剤を塗工することにより形成される。粘着部に用いられる粘着剤として、好ましくは、ゴム系、オレフィン系、エチレン酢酸ビニル（ＥＶＡ）系等のホットメルト粘着剤が用いられる。
【００１９】
粘着部５は、例えば、本体Ｍに設けられる本体粘着部５１と、ウイング部Ｗに設けられるウイング粘着部５２と、後方フラップ部Ｆに設けられる後方フラップ粘着部５３を有する。着用時、本体粘着部５１によって本体Ｍは着衣の肌側面に固定される。ウイング粘着部５２によって折り曲げられたウイング部Ｗは下着の外面に固定される。後方フラップ粘着部５３によって後方フラップ部Ｆは着衣の肌側面に固定される。
【００２０】
図３〜図５に示すように、裏面シート３の非肌対向面側である第２の主面３ａには香料が配された賦香領域Ｋが配される。
図４及び図５に示すように、使用前の状態のナプキン１には、本体粘着部５１を覆う剥離紙３５が設けられている。賦香領域Ｋは剥離紙３５に形成される、ナプキン１に剥離紙３５を配することにより、剥離紙３５に設けられた賦香領域Ｋに含まれる香料が裏面シート３側に移る。この移り香によって、ナプキン１に賦香領域Ｋが形成され、剥離紙３５が剥離されてもナプキン１から香料の香りがするようになっている。
【００２１】
剥離紙３５への賦香領域Ｋの形成は、例えば、使用される香料を適当な溶媒（例えば水、エタノール、低分子炭化水素類、多価アルコール類、液体ＬＰＧガス、ジメチルエーテル等）に希釈したものや原液そのものを塗布、噴霧又は含浸させて塗工することにより行われる。
香料としては、大気圧化で香気を大気中に蒸散し得るものであればよく、常温常圧の環境下で、その香気を知覚し得る通常の香料を特に制限なく用いることができ、当該技術分野において従来用いられてきたものと同様のものを用いることができる。例えば、香料としては、沸点が約２５０℃以下の高揮発性香料成分、又は沸点が約２５０℃〜約３００℃の中揮発性香料成分が好ましく用いられる。
尚、裏面シート３の第２の主面３ａに香料を直接塗工して賦香領域Ｋを形成してもよい。
【００２２】
本実施形態では、賦香領域Ｋが裏面シート３の非肌側面側に配されているため、ナプキン１の表面側（主面２ａ側）に接する着用者の肌まで香料の刺激が到達しにくく、肌に優しいナプキン１となっている。
【００２３】
（ウイング部）
図４及び図５に示すように、ウイング部Ｗは、裏面シート３とサイドシート４とが積層された構成を有し、追加的に、表面シート２が全体または一部に積層された構成でも良い。
図２に示すように、サイドシート４は、表面シート２を挟んで幅方向に相互に対向し、ナプキン１の幅方向周縁部に配置される。サイドシート４は、ウイング部Ｗ及び後方フラップ部Ｆにおいてナプキン１の表面を構成する外面４ａを含む。
サイドシート４は、不織布や樹脂製等のフィルムで形成することができる。サイドシート４は、液防漏性を有するものが好ましく、具体的には、液不透過性、撥水性及び透湿性等の機能を有することが好ましく、積層構造でも、単層構造でもよい。
一対のウイング部Ｗは、後述する吸収性コア２０の中間コア部２２を挟んで幅方向で互いに対向する。
【００２４】
（立体ガード）
立体ガードＧは、本実施形態においてサイドシート４で構成される。
図２、図４及び図５に示すように、立体ガードＧは、折返し領域４１と、固定端部４２と、弾性部材４３とを有する。
【００２５】
折返し領域４１は、サイドシート４における幅方向外側に折り返された部分である。
固定端部４２は、立体ガードＧの幅方向内側の端部であり、第１の主面２ａ（表面シート２）に接合される立体ガードＧの基部である。固定端部４２は、本実施形態において接着剤Ｂを用いて主面２ａに接合される。
【００２６】
弾性部材４３は、折返し領域４１に配置され、本実施形態において長手方向に伸縮可能な複数の糸状弾性部材を含む。弾性部材４３は、ＸＹ平面に引き延ばされた状態のサイドシート４に、長手方向に伸長された状態で取り付けられる。これにより、着用時に、弾性部材４３が長手方向に収縮して主面２ａが緩やかに凹むように本体Ｍが湾曲し、折返し領域４１が厚み方向に起立することができる。折返し領域４１のＺ軸方向上方を向く面は、着用者の肌と当接し得る起立面である。
【００２７】
（後方フラップ部）
図５に示すように、後方フラップ部Ｆは、裏面シート３とサイドシート４とが積層された構成を有し、追加的に、表面シート２が全体または一部に積層された構成でも良い。後方フラップ部Ｆには、吸収性コア２０は存在しない。
ウイング部Ｗと後方フラップ部Ｆとは、共通の裏面シート３及びサイドシート４から構成され、前後方向で連なっている。
【００２８】
［吸収性コアの構成］
（吸収性コアの全体構成）
吸収性コア２０は、パルプなどの繊維材料が積繊されてなる繊維集合体であり、積繊装置を用いて製造することができる。吸収性コア２０を構成する繊維材料として主に用いられるのは親水性繊維である。親水性繊維としては、化学繊維に代表される、本来的に疎水性の繊維を親水化処理したものと、木材パルプに代表される、本来的に親水性の繊維とが挙げられ、これらの１種を単独で又は２種以上を組み合わせて用いることができる。
また、吸収性コア２０は、繊維材料に加えてさらに吸水性ポリマーを含有していても良い。これにより、吸収性コア２０の液保持力を高めることができる。吸水性ポリマーとしては、一般に球状、塊状、俵状又は不定形のいずれでもよい。吸水性ポリマーとしては、この種の吸収性物品において使用可能なものを特に制限なく用いることができ、例えば、アクリル酸又はアクリル酸アルカリ金属塩の重合物又は共重合物を用いることができる。
【００２９】
図４及び図５に示すように、吸収性コア２０は、着用者の肌面側に位置する肌側面２０ａと、着用者の下着側に位置する非肌側面２０ｂとを有する。
図６に示すように、吸収性コア２０は、前方コア部２１と、中間コア部２２と、後方コア部２３と、を有する。前方コア部２１、中間コア部２２及び後方コア部２３は、前後方向Ｘに沿って並んでいる。
中間コア部２２は、前方コア部２１及び後方コア部２３の幅方向Ｙにおける長さよりも幅が狭い領域を備える。つまり、吸収性コア２０は、中間コア部２２において幅方向Ｙに括れた平面形状を有する。
中間コア部２２は、ナプキン１の着用時に着用者の排泄部である膣口に対向配置される排泄部対向部である。前方コア部２１は中間コア部２２よりも着用者の前側（腹側）寄りに配され、後方コア部２３は中間コア部２２よりも着用者の後側（背中側）寄りに配される。本実施形態のナプキン１では、一対のウイング部Ｗは、中間コア部２２を挟んで幅方向Ｙに互いに対向して配されている。
ここでは、前後方向Ｘにおいて、吸収性コア２０の幅方向Ｙにおける長さが最も狭くなる幅狭領域を中間コア部２２とする。
【００３０】
図６に示すように、吸収性コア２０は、前後方向Ｘに沿って延びる複数の縦溝部２７及び幅方向Ｙに沿って延びる複数の横溝部２８と、周縁溝部２６を有する。吸収性コア２０は、複数の縦溝部２７、複数の横溝部２８及び周縁溝部２６により、複数のブロック部２９に分割されている。
縦溝部２７、横溝部２８及び周縁溝部２６は、ブロック部２９よりも低い坪量を有し、ブロック部２９の上面から厚み方向Ｚ下方に向かって形成された溝で構成される。つまり、縦溝部２７及び横溝部２８は、ブロック部２９よりも剛性が低い領域となる。これにより、ナプキン１に外力が付加された場合に、吸収性コア２０が縦溝部２７、横溝部２８及び周縁溝部２６で変形しやすくなり、前後方向Ｘ及び幅方向Ｙのいずれの方向の外力に対しても柔軟に構成される。
縦溝部２７は、幅方向Ｙに沿って間隔をあけて複数配列されている。縦溝部２７は、前方コア部２１、中間コア部２２及び後方コア部２３のそれぞれを幅方向Ｙに分割するように、前後方向Ｘの全長にわたって形成されている。
横溝部２８は、前後方向Ｘに沿って間隔をあけて配列されている。横溝部２８は、前方コア部２１、中間コア部２２及び後方コア部２３のそれぞれを前後方向Ｘに分割するように、幅方向の全長にわたって形成されている。
周縁溝部２６は、後述する第１の高坪量部３１の前後方向外縁に沿って形成されている。低坪量で変形しやすい周縁溝部２６を設けることによって、第１の高坪量部３１の周囲の変形が周縁溝部２６に吸収されるため、第１の高坪量部３１が周囲の変形の影響を受けにくくなる。
なお、縦溝部２７、横溝部２８及び周縁溝部２６の形状や配置などの構成は、図６に記載された構成に限定されず、吸収性コア２０の形状や要求される機能等に基づいて適宜設定される。
【００３１】
このように、低坪量で変形しやすい縦溝部２７、横溝部２８、周縁溝部２６を設けることで、吸収性コア２０の柔軟性を高めることができる。また、溝部を設けることにより溝の空間に排泄された液を素早く引き込み、吸収性コア２０内に取り込むことができ、液吸収速度を高めることができる。また、吸収性コア２０が複数のブロック部２９に区画されることで、吸収性コア２０の表面積を高め、液を効率よく吸収し保持することができる。
【００３２】
ブロック部２９は、第１の高坪量ブロック部２９１と、第２の高坪量ブロック部２９２と、低坪量ブロック部２９３を有する。
第１の高坪量ブロック部２９１は第２の高坪量ブロック部２９２よりも坪量の高いブロック部である。第２の高坪量ブロック部２９２は低坪量ブロック部２９３よりも坪量の高いブロック部である。第１の高坪量ブロック部２９１及び第２の高坪量ブロック部２９２は、低坪量ブロック部２９３よりも厚み方向Ｚに厚く構成される。第１の高坪量ブロック部２９１は、第２の高坪量ブロック部２９２よりも厚み方向Ｚに厚く構成される。
図６において、周縁溝部２６、縦溝部２７及び横溝部２８は無地で示し、ブロック部２９はドットで示している。更に、ブロック部２９において、坪量が多いほどドットの密度が高くなるように示している。
【００３３】
複数の第１の高坪量ブロック部２９１と、隣り合う第１の高坪量ブロック部２９１間に位置する縦溝部２７及び横溝部２８とが位置する領域を第１の高坪量部３１と称する。第１の高坪量部３１は、中間コア部２２の幅方向Ｙ中央部Ｃに位置する。第１の高坪量部３１は、前後方向Ｘに延び、例えば前後端縁部が前後方向Ｘに向かって凸な曲線状に構成される。
【００３４】
複数の第２の高坪量ブロック部２９２と、隣り合う第２の高坪量ブロック部２９２間に位置する縦溝部２７及び横溝部２８とが形成される領域を第２の高坪量部３２と称する。第２の高坪量部３２は、前方コア部２１の幅方向Ｙの中央部Ｃと、後方コア部２３の幅方向Ｙの中央部Ｃに位置する。
前方コア部２１に位置する第２の高坪量部３２を前方第２の高坪量部３２ａと称し、後方コア部２３に位置する第２の高坪量部３２を後方第２の高坪量部３２ｂと称する。両者を特に区別する必要がない場合は第２の高坪量部３２と称する。
図６に示すように、前方第２の高坪量部３２ａ、第１の高坪量部３１、後方第２の後方坪量部３２ｂは、前後方向Ｘに沿って順に並んでいる。
【００３５】
複数の低坪量ブロック部２９３と、隣り合う低坪量ブロック部２９３間に位置する縦溝部２７及び横溝部２８とが形成される領域を低坪量部３３と称する。低坪量部３３は、前方コア部２１の幅方向Ｙの両側部Ｓと、中間コア部２２の幅方向Ｙの両側部Ｓと、後方コア部２３の幅方向Ｙの両側部Ｓに位置する。
図６に示すように、低坪量部３３は、前方コア部２１から中間コア部２２を通って後方コア部２３に至るまで前後方向Ｘに延び、吸収性コア２０の幅方向Ｙにおける両側部Ｓにそれぞれ位置する。低坪量部３３は、前後方向Ｘに並ぶ高坪量部３２ａ、第１の高坪量部３１及び後方第２の高坪量部３２ｂからなる高坪量部群の幅方向Ｙの両側にそれぞれ位置している。
【００３６】
以下、第１の高坪量部３１の坪量、第２の高坪量部３２の坪量、低坪量部３３の坪量の坪量とは、縦溝部２７及び横溝部２８を含んだ坪量をいうものとする。
【００３７】
第１の高坪量部３１が最も坪量が大きく、次いで第２の高坪量部３２の坪量が大きく、低坪量部３３の坪量が最も小さくなっている。また、各坪量部のブロック部の厚みは、第１の高坪量部３１の厚みが最も厚く、次いで第２の高坪量部３２の厚みが厚く、低坪量部３３の厚みが最も薄くなっている。
【００３８】
本実施形態では、第１の高坪量部３１は、低坪量部３３及び第２の高坪量部３２よりも表面シート１２側に突出している。尚、第１の高坪量部３１が、裏面シート３側に突出した構成としてもよい。
【００３９】
（前方コア部の構成）
図６に示すように、前方コア部２１には、前方第２の高坪量部３２ａと、低坪量部３３とが設けられている。前方第２の高坪量部３２ａは、前方コア部２１の幅方向中央部Ｃに形成される。前方第２の高坪量部３２ａは、第１の高坪量部３１の前後方向Ｘの前方に位置する。前方コア部２１において、低坪量部３３は、前方第２の高坪量部３２ａの幅方向Ｙ外側に、左右に分かれて位置する。
このように前方コア部２１は、幅方向Ｙの中央部Ｃの坪量が、幅方向Ｙ両側部Ｓよりも高い坪量を有し、幅方向Ｙの中央部Ｃは両側部Ｓよりも厚みが厚くなっており、肌へのフィット性が向上する構成となっている。
【００４０】
（中間コア部の構成）
図４及び図６に示すように、中間コア部２２には、第１の高坪量部３１と、低坪量部３３とが設けられている。
第１の高坪量部３１は、中間コア部２２の幅方向Ｙ中央部Ｃに形成され、着用時に着用者の排泄部に対向するように配置される。第１の高坪量部３１は、中間コア部２２及び後方コア部２３の一部にかけて前後方向に延在する。これに伴い、第１の高坪量部３１の全周縁に亘って設けられる周縁溝部２６は、中間コア部２２及び後方コア部２３の一部にかけて前後方向に延在して設けられる。
【００４１】
図６に示すように、吸収性コア２０において、中間コア部２２は、前方コア部２１及び後方コア部２３よりも幅狭な形状を有している。
これにより、着用者の両脚が閉じ股間幅が狭くなった場合に、第１の高坪量部３１に付加される幅方向Ｙ内側への外力を低減させることができ、第１の高坪量部３１の圧縮が抑制され、第１の高坪量部３１の変形が生じにくい。また、第１の高坪量部３１の起立性を高めることができる。
【００４２】
剛性の低い低坪量部３３は、第１の高坪量部３１の幅方向Ｙ外側に、左右に分かれて配置される。このため、着用者の脚等により幅方向内方へ向かう外力が付加された場合、低坪量部３３が幅方向Ｙに圧縮変形する。
一方で、低坪量部３３の圧縮変形により、前後方向Ｘの成分を含む張力（引っ張り力）が発生するが、低坪量部３３は剛性が低いため、前方コア部２１及び後方コア部２３を変形させるような大きな張力が発生しにくい。つまり、低坪量部３３は、幅方向内方へ向かう外力の緩衝領域として作用し、外力の影響が前方コア部２１及び後方コア部２３へ伝搬することを防止できる。
また、低坪量部３３により外力が緩衝されることで、中間コア部２２の幅方向Ｙ中央部Ｃに位置する第１の高坪量部３１の変形も防止することができる。したがって、排泄部と第１の高坪量部３１との間に隙間ができることを防止し、幅方向の液漏れも防止することができる。
【００４３】
このように、中間コア部２２を、前方コア部２１及び後方コア部２３よりも幅が狭く、幅方向Ｙ中央部Ｃに第１の高坪量部３１を有する構成とすることで、中間コア部２２の排泄部に対するフィット性及び液の吸収性を向上させることができる。
【００４４】
また、本実施形態のナプキン１では、一対のウイング部Ｗは、中間コア部２２を挟んで幅方向Ｙに互いに対向して配されている。
ナプキン１の着用時、中間領域Ｃに位置するウイング部Ｗを折り曲げ下着の外面に固定した場合、第１の高坪量部３１と低坪量部３３との剛性差によって、第１の高坪量部３１が着用者の排泄部側へと起立しやすくなる。これにより、中間コア部２２が着用者の排泄部付近にフィットしやすくなり、ナプキン１と肌との隙間が減少し、液漏れを抑制することができる。
【００４５】
また、中間コア部２２には、周縁溝部２６と、１つの縦溝部２７と、４つの横溝部２８が設けられている。周縁溝部２６は、縦溝部２７及び横溝部２８と連結している。
【００４６】
（後方コア部の構成）
図５及び図６に示すように、後方コア部２３には、後方第２の高坪量部３２ｂと、低坪量部３３とが設けられている。
後方第２の高坪量部３２ｂは、後方コア部２３の幅方向中央部に形成され、着用時に着用者の臀裂に対向するように配置される。後方第２の高坪量部３２ｂは、前後方向に延在して設けられ、中間コア部２２に設けられる第１の高坪量部３１の前後方向Ｘの後方に位置する。
後方コア部２３において、低坪量部３３は、後方第２の高坪量部３２ｂの幅方向Ｙ外側に、左右に分かれて位置する。
【００４７】
後方コア部２３は、幅方向Ｙの中央部Ｃが幅方向Ｙ両側部Ｓよりも、高い坪量及び厚い厚みのブロック部を有するように構成され、幅方向Ｙ中央部Ｃは両側部Ｓよりも、相対的に坪量が高く高剛性となっている。また、図５に示すように、後方第２の高坪量部３２ｂの存在により、ナプキン１の後方部の中央部は凸形状を有している。
後方コア部２３において、幅方向Ｙに加わった外力は、低剛性の低坪量部３３が位置する両側部Ｓが先に変形することにより緩衝され、後方第２の高坪量部３２ｂへの外力の伝播が低減される。更に、後方第２の高坪量部３２ｂは高剛性であるので、後方第２の高坪量部３２ｂの形状が維持されやすい。これにより、幅方向Ｙに加わった外力によって、後方第２の高坪量部３２ｂが臀裂に向かって起立するようにナプキン１後方部の幅方向Ｙの中央部が変形しつつも、後方第２の高坪量部３２ｂの形状は好ましくない変形とならないようにほぼ維持される。
従って、ナプキン１の着用時、図７に示すように、凸状となる後方第２の高坪量部３２ｂがその形状を維持しながら着用者Ｕの臀裂４９を埋めるように位置することとなり、臀裂４９と着用者Ｕの肌との間の隙間が生じにくくなる。これによって、排泄部から臀裂４９を伝ってくる液を吸収性コア２０により効率的に吸収することができ、後方部での液漏れが抑制される。
【００４８】
また、後方コア部２３において、幅方向Ｙの中央部に、周囲の第２の高坪量ブロック部２９２よりも低坪量の縦溝部２７が設けられることにより、臀裂を埋めるように吸収性コア２０の後方コア部２３の幅方向Ｙ中央部が肌側に凸となる起立変形が促される。
更に、図６及び図７に示すように、本実施形態においては、後方コア部２３の幅方向Ｙの全長に亘って複数の縦溝部２７が設けられている。これにより、ナプキン１の着用時に、吸収性コア２０の後方コア部２３は、縦溝部２７を変形起点として、幅方向Ｙの中央部Ｃは臀裂４９を埋めるように肌側に凸の形状に変形し、幅方向Ｙの側方部Ｓは幅方向で臀部４８を包み込むように変形しやすくなり、臀部４８と着用者Ｕの肌との間の隙間がより生じにくく、幅方向Ｙの液漏れの発生が抑制される。なお、図示していないが、後方第２の高坪量部３２ｂに配される縦溝部２７が、低坪量部３３において最も幅方向Ｙの外側に位置する縦溝部２７よりも溝幅が太いことが好ましい。この場合には、後方コア部２３に横方向Ｙからの外力が加わった際に、後方第２の高坪量部３２ｂが太い縦溝部２７を起点として幅方向Ｙの両側へ折れ曲がり易くなるので、最も幅方向Ｙの外側に位置する縦溝部２７を起点に、過度に折れ曲がって後部吸収コア２３が破損するリスクを減じることができる。後方コア部２３において、よりも太い場合には、後方第２の高坪量部に配される縦溝部２７の溝幅（太縦溝）は、低坪量部３３における横方向Ｙの最も外側に位置する縦溝部２７（細縦溝）の溝幅に対して１．１倍以上１０倍以下、特に１．２倍以上５倍以下であることが、上述した効果を有効に発揮する観点から好ましい。
【００４９】
また、後方コア部２３において、幅方向Ｙの中央部に、周囲の第２の高坪量ブロック部２９２よりも低坪量の横溝部２８が設けられることにより、ナプキン１の幅方向中央部に厚みを維持しつつも体の形状に沿って変形する柔軟性が付与される。
図６に示すように、本実施形態においては、後方コア部２３の幅方向Ｙの一方の側縁から他方の側縁までの全長に亘って複数の横溝部２８が設けられることにより、ナプキン１の着用時に、吸収性コア２０後方コア部２３が前後方向Ｘに臀部を包み込むように変形しやすくなり、臀部と着用者の肌との間の隙間がより生じにくくなり、液漏れの発生が抑制される。
【００５０】
また、図５に示すように、ナプキン１では、後方コア部３２において、後方第２の高坪量部３２ｂの横方向Ｙの中心線に最も近く配された縦溝部２７が、本体粘着剤５１とは平面視重ならない。より具体的に言うと、図５のナプキン１では、平面視で、当該縦溝部２７は、左右一対の本体粘着部５１の間に配されている。このため、当該縦溝部２７は横方向Ｙの両側へ折れ曲がり易くなり、後方第２の高坪量部３２ｂが臀部に沿う形状に変形し易くなる。このとき、前述したように、当該溝が太溝であると、一層臀部に沿う形に変形し易くなる。
【００５１】
［賦香領域及び本体粘着部との位置関係］
図３に示すように、本体粘着部５１は、前後方向Ｘに延び、互いに離間して幅方向Ｙに２つ配置される。２つの本体粘着部５１、５１は、ナプキン１を幅方向Ｙに二等分する前後方向Ｘに延びる中心線５０を間に介して幅方向Ｙに対向配置される。本体粘着部５１は、中心線５０上には位置しない。
また、一対の本体粘着部５１、５１は、吸収性コア２０の幅狭部分を有する中間コア部２２では、吸収性コア２０の幅方向Ｙ側縁２０ｃを超えて外方に位置していない。
【００５２】
賦香領域Ｋは、中心線５０を含む幅方向Ｙの中央部に位置し、平面視で、２つの本体粘着部５１、５１間に位置している。賦香領域Ｋは、例えば、ナプキン１の前端部から後端部まで前後方向Ｘに沿って延びるとともに、幅方向Ｙの中心線５０を含む中央部に配置される。
「賦香領域Ｋが前後方向Ｘに沿って延びる」とは、香料が前後方向Ｘに沿って連続して配置されている態様に限定されず、香料が前後方向Ｘに沿って間欠的に配置されている態様も含む。
香料を用いることにより排泄された液由来の匂いが香料によってマスキングされて外部へ放出され、液由来の匂いが認識されにくくなり、不快感を軽減できる。
【００５３】
ナプキン１において、賦香領域Ｋは、平面視で、吸収性コア２０の前方第２の高坪量部３２ａ、第１の高坪量部３１、後方第２の高坪量部３２ｂが順に前後方向Ｘに沿って位置する領域内に位置している。すなわち、着用時、第１の高坪量部３１、後方第２の高坪量部３２ｂそれぞれに対応して位置する排泄部である膣口、臀裂に対応して賦香領域Ｋが位置する。
【００５４】
図８（Ａ）に示すように、着用者Ｕがナプキン１を好ましい位置で着用した場合、ナプキン１の後方部において、吸収性コア２０の後方コア部２３の第２の高坪量部３２が臀裂４９に入り込むように位置し、ナプキン１の幅方向Ｙ中央部（中心線５０を含む領域）が肌側に起立する形態となる。換言すると、ナプキン１の中心線５０を含む領域の着用者Ｕの肌側への突出が強い形態である。
このような形態では、賦香領域Ｋを間に介して、賦香領域Ｋの両側に位置する本体粘着部５１が位置する領域のナプキン１の部分が互いに近づくように変形する。これにより、図８（Ａ）に示すように、一対の本体粘着部５１、５１が位置するナプキン１の部分が、賦香領域Ｋからの香料が外部に向かって蒸散される空間の一部に配置されることになり、賦香領域Ｋからの香料の外部への速やかな蒸散が妨害される。このため、幅方向Ｙにずれることなくナプキン１が好ましい位置で着用されている場合、賦香領域Ｋから蒸散される香料の香りは着用者にとっては微香程度に感じ取られる。
ここで、賦香領域Ｋの両側に位置するナプキン１部分によって香料の外部への速やかな蒸散が妨害される状態を、賦香領域Ｋがナプキン１によって閉じられている状態（閉状態）であるという。
【００５５】
一方、図８（Ｂ）に示すように、例えばナプキン１が幅方向にずれて着用された場合、ナプキン１の後方部において、幅方向中央部よりも外方側の部分が肌側に突出し、ナプキン１の中心線５０を含む領域の着用者Ｕの肌側への突出が弱まる形態となる。
このような形態では、吸収性コア２０の後方コア部２３の第２の高坪量部３２が臀裂４９からずれて位置するため、第２の高坪量部３２と低坪量部３３との段差と臀裂４９との間に隙間が生じやすく、液が吸収性コア２０に効率よく吸収されず、排泄部から排泄された液が臀裂４９を伝っていき、ナプキン１の後方部から液漏れが生じやすい。
また、ナプキン１が、その中心線５０を含む領域の着用者Ｕの肌側への突出が弱まる形態をとる場合、図８（Ｂ）に示す例では、賦香領域Ｋは、急激な窪みである臀裂４９に位置せず臀部４８のゆるやかな膨らみ上に位置する。賦香領域Ｋを間に介して位置するナプキン１の賦香領域Ｋの両側の部分は、図８（Ａ）に示す形態と比較して、互いに遠くなるように位置することになり、賦香領域Ｋからの香料が速やかに蒸散される空間が広くなり、一気に香料の香りが匂いたつ。このため、例えば幅方向Ｙにずれてナプキン１が着用され、ナプキン１が中心線５０を含む領域の着用者Ｕの肌側への突出が弱まる形態をとる場合、好ましい位置でナプキン１を着用した場合と比較して、賦香領域Ｋから蒸散される香りは着用者Ｕにとってより強く感じ取られる。
ここで、賦香領域Ｋの両側に位置するナプキン１部分によって香料の外部への速やかな蒸散が妨害されない状態を、賦香領域Ｋがナプキン１によって開けてられている状態（開状態）であるという。
【００５６】
図８（Ａ）及び（Ｂ）において、賦香領域Ｋからの香料が速やかに放出される空間を破線の楕円で囲み、符号５５を付して示す。図８（Ａ）及び（Ｂ）に示すように、香料が速やかに放出される空間５５は、ナプキン１がその中心線５０を含む領域の着用者Ｕの肌側への突出が弱まる形態をとる場合の方が広くなっている。
【００５７】
以上のように、着用者Ｕは、ナプキン１の着用中、強い香りがするようになったという香りの強弱の変化を感じることにより、ナプキン１が好ましい位置からずれている可能性があると判断することができ、液漏れの発生の可能性を察知することができる。
このように、本実施形態は、ナプキン１の開閉による賦香領域Ｋから蒸散される香りの強弱によってナプキン１の着用状態を把握することができる構成となっている。
【００５８】
また、本実施形態では、一対の本体粘着部５１、５１が、中心線５０を挟んでその両側に配され、更に、吸収性コア２０の幅方向Ｙにおいて幅狭部の側縁２０ｃを超えて外方に存在していない。
ナプキンにおいて、平面視で、吸収性コア２０の幅狭部である中間コア部２２の側縁２０ｃを超えて前後方向Ｘに延びる本体粘着部５１が存在していないため、後方コア部２３の中間コア部２２よりも幅方向Ｙ外方に突き出している部分にも本体粘着部５１は存在していない。
これにより、後方コア部２３の中間コア部２２よりも幅方向Ｙ外方に突き出している部分の変形し易さが本体粘着部５１、５１により制限されない。したがって、後方コア部２３の幅方向Ｙ両側部Ｓに柔軟性を持たせることができ、ナプキン１の後方部を臀部の膨らみに沿った形状に変形させやすい。
【００５９】
また、図４及び図５に示すように、本実施形態のナプキン１では、ナプキン１の中心線５０上に吸収性コア２０の縦溝部２７が位置しているため、ナプキン１の幅方向Ｙ中央部で着用者の肌に向かって凸となる変形が誘起されやすく、賦香領域Ｋからの香料蒸散のためのナプキン１の開閉がより円滑となる。
【００６０】
［上記実施形態の追加説明］
上記実施形態の説明を補足する。
（各構成の数値例）
上記吸収性コアの各構成の数値例について説明するが、ここに記載する数値に限定されない。各溝部の底部及びブロック部の厚み、坪量は、着用者に違和感を与えにくい適度な厚みで快適な着用感を提供しつつ十分な吸収量が得られるように適宜設定される。また、周縁溝部２６、縦溝部２７及び横溝部２８の溝幅及び底部の厚み等は、吸収性コアの柔軟性の点等から適宜設定される。
【００６１】
周縁溝部２６、縦溝部２７及び横溝部２８の溝幅は、好ましくは０．５ｍｍ以上、１０ｍｍ以下である。なお、後方コア部２３又は前方コア部２１で細溝と太溝を有する場合には、細溝の好ましい溝幅は０．５ｍｍ以上５ｍｍ以下、より好ましくは０．５ｍｍ以上２ｍｍ以下であり、また、太溝の好ましい溝幅は１ｍｍ以上１０ｍｍ以下、より好ましくは１ｍｍ以上５ｍｍ以下である。
周縁溝部２６、縦溝部２７及び横溝部２８の底部の厚みは、好ましくは０．５ｍｍ以上、６ｍｍ以下である。
周縁溝部２６、縦溝部２７及び横溝部２８の坪量は、好ましくは１００ｇ／ｍ２以上、より好ましくは１５０ｇ／ｍ２以上であり、そして好ましくは１０００ｇ／ｍ２以下、より好ましくは９００ｇ／ｍ２以下である。
【００６２】
前方コア部２１に位置する左側の低坪量部３３及び右側の低坪量部３３坪量は、好ましくは１００ｇ／ｍ２以上、より好ましくは１５０ｇ／ｍ２以上であり、そして好ましくは５００ｇ／ｍ２以下、より好ましくは４００ｇ／ｍ２以下である。
左側の低坪量部３３と右側の低坪量部３３坪量はほぼ同じである。ここで、ほぼ同じとは、誤差±１００ｇ／ｍ２の範囲を含む。以下、中間コア部２２及び後方コア部２３についても同様である。
前方コア部２１の幅方向中央に位置する前方第２の高坪量部３２ａの坪量は、好ましくは１５０ｇ／ｍ２以上、より好ましくは２００ｇ／ｍ２以上であり、そして好ましくは６００ｇ／ｍ２以下、好ましくは５００ｇ／ｍ２以下である。
【００６３】
前方コア部２１に位置する左側の低坪量部３３及び右側の低坪量部３３の低坪量ブロック部２９３の厚みは、好ましくは１．５ｍｍ以上、より好ましくは２ｍｍ以上であり、そして好ましくは１０ｍｍ以下、より好ましくは８ｍｍ以下である。
左側の低坪量部３３と右側の低坪量部３３それぞれの低坪量ブロック部２９３の厚みはほぼ同じである。ここで、ほぼ同じとは、誤差±２ｍｍの範囲を含む。以下、中間コア部２２及び後方コア部２３についても同様である。
前方コア部２１の幅方向中央に位置する前方第２の高坪量部３２ａの第２の高坪量ブロック部２９２の厚みは、好ましくは２ｍｍ以上、より好ましくは２．５ｍｍ以上であり、そして好ましくは１２ｍｍ以下、より好ましくは１０ｍｍ以下である。
【００６４】
中間コア部２２に位置する左側の低坪量部３３及び右側の低坪量部３３の坪量は、好ましくは１００ｇ／ｍ２以上、より好ましくは１５０ｇ／ｍ２以上であり、そして好ましくは７００ｇ／ｍ２以下、より好ましくは６００ｇ／ｍ２以下である。
中間コア部２２の幅方向中央に位置する第１の高坪量部３１の坪量は、好ましくは３００ｇ／ｍ２以上、より好ましくは４００ｇ／ｍ２以上であり、そして好ましくは１０００ｇ／ｍ２以下、より好ましくは９００ｇ／ｍ２以下である。
【００６５】
中間コア部２２に位置する左側の低坪量部３３及び右側の低坪量部３３の低坪量ブロック部２９３の厚みは、好ましくは１．５ｍｍ以上、より好ましくは２ｍｍ以上であり、そして好ましくは１３ｍｍ以下、より好ましくは１２ｍｍ以下である。
中間コア部２２の幅方向中央に位置する第１の高坪量部３１の第１の高坪量ブロック部２９１の厚みは、好ましくは３ｍｍ以上、より好ましくは４ｍｍ以上であり、そして好ましくは１５ｍｍ以下、より好ましくは１４ｍｍ以下である。
【００６６】
後方コア部２３に位置する左側の低坪量部３３及び右側の低坪量部３３の坪量は、好ましくは１００ｇ／ｍ２以上、より好ましくは１５０ｇ／ｍ２以上であり、そして好ましくは５００ｇ／ｍ２以下、より好ましくは４００ｇ／ｍ２以下である。
後方コア部２３の幅方向中央に位置する後方第２の高坪量部３２ｂの坪量は、好ましくは１５０ｇ／ｍ２以上、より好ましくは２００ｇ／ｍ２以上であり、そして好ましくは６００ｇ／ｍ２以下であり、より好ましくは５００ｇ／ｍ２以下である。
【００６７】
後方コア部２３に位置する左側の低坪量部３３及び右側の低坪量部３３の低坪量ブロック部２９３の厚みは、好ましくは１．５ｍｍ以上、より好ましくは２ｍｍ以上であり、そして好ましくは１０ｍｍ以下、より好ましくは８ｍｍ以下である。
後方コア部２３の幅方向中央に位置する後方第２の高坪量部３２ｂの第２の高坪量ブロック部２９２の厚みは、好ましくは２ｍｍ以上、より好ましくは２．５ｍｍ以上であり、そして好ましくは１２ｍｍ以下、より好ましくは１０ｍｍ以下である。
【００６８】
前方コア部２１及び後方コア部２３の幅は、好ましくは６０ｍｍ以上、より好ましくは７０ｍｍ以上であり、そして好ましくは１００ｍｍ以下、より好ましくは９０ｍｍ以下である。中間コア部２１の最も狭い部分の幅寸法は、好ましくは４０ｍｍ以上、より好ましくは５０ｍｍ以上であり、そして好ましくは７５ｍｍ以下、より好ましくは７０ｍｍ以下である。
このように中間コア部２２の幅を前方及び後方コア部２１，２３よりも狭くすることにより、着用者の脚等により付加される幅方向内方へ向かう外力の影響を受けにくくなるとともに、幅方向の着用位置ずれにも対応可能となり、着用者に対して安心感を与えることができる。
中間コア部２２の前後方向の長さは、６０ｍｍ以上１７０ｍｍ以下、好ましくは８０ｍｍ以上１６０ｍｍ以下である。これにより、前後方向の着用位置ずれ等があった場合にも、中間コア部２２を着用者の排泄部に対向させることができる。
【００６９】
（溝部の幅の測定方法）
溝部の幅は、溝部の開口部における幅を測定することにより求める。吸収性コアを水平に置き、マイクロスコープ（ＫＥＹＥＮＣＥ社製ＶＨＸ−１０００）により測定倍率を調整して吸収性コアの上面を拡大することで、開口幅を測定する。
或いは、フェザー社製片刃剃刀を用いて吸収性コアを切断し、切断されたサンプルの断面を、マイクロスコープ（ＫＥＹＥＮＣＥ社製ＶＨＸ−１０００）を用いて２０〜１００倍の倍率で観察し、溝幅を測定してもよい。
【００７０】
（吸収性コアの各部の厚みの測定方法）
測定対象である吸収性コアの厚みの測定は、各々の部位について坪量を測定するために切り出した小片の厚みを測定することで行う。吸収性コアより切り出した小片を５ｋＰａの圧力で１０分間加圧し、除重後すぐに測定を行う。除重後のサンプルの中央域に、大きさ２０ｍｍ×２０ｍｍ、厚み３ｍｍのアクリルプレートを置き、ＫＥＹＥＮＣＥ社製非接触式レーザー変位計（レーザーヘッドＬＫ−Ｇ３０、変位計ＬＫ−ＧＤ５００）を用い、サンプルの厚みを測定する。切り出した小片の大きさが小さく、非接触式レーザー変位計により測定し難い場合には、前記切断されたサンプルの断面を、例えば、マイクロスコープ（ＫＥＹＥＮＣＥ社製ＶＨＸ−１０００）を用いて２０〜１００倍の倍率で観察し、測定してもよい。
【００７１】
（吸収性コアの各部の坪量の測定方法）
測定対象である吸収性コアの各部を、フェザー社製片刃剃刀を用いて切断し、小片を得る。それらの小片の重量及び面積を以下の方法で測定し、測定により得られた重量を面積で除して小片の坪量を算出する。各部のそれぞれについて、小片５個の坪量の平均を坪量とする。
小片の重量は、電子天秤（Ａ＆Ｄ社製電子天秤ＧＲ−３００、精度：小数点以下４桁）を用いて測定する。
小片の面積は、予め切断前の吸収性顔全体を切断部込みでＯＨＰシートに書き写し、パーソナルコンピュータ向けスキャナー（キャノン製  CanoScan MP Navigator EX）でスキャンした画像を、画像解析ソフト（株式会社ネクサス製  nexus New Qube）を用いて求める。
本実施形態では、図６を参照して、吸収性コア２０を、前方コア部２１に位置する左側の低坪量部３３、右側の低坪量部３３、第２の高坪量部３２、中間コア部２２に位置する左側の低坪量部３３、右側の低坪量部３３、第１の高坪量部３１、後方コア部２３に位置する左側の低坪量部３３、右側の低坪量部３３、第２の高坪量部３２の計９つのエリアにわけ、エリア毎に坪量を求める。
【００７２】
（香料例）
上記賦香領域Ｋの香料として用いられる高揮発性香料成分としては、例えばアニソール、ベンズアルデヒド、酢酸ベンジル、ベンジルアルコール、ギ酸ベンジル、酢酸イソボルニル、シトロネラール、シトロネロール、酢酸シトロネリル、パラシメン、デカナール、ジヒドロリナロール、ジヒドロミルセノール、ジメチルフェニルカルビノール、ユーカリプトール、１−カルボン、ゲラニアール、ゲラニオール、酢酸ゲラニル、ゲラニルニトリル、酢酸ネリル、酢酸ノニル、リナロール、エチルリナロール、酢酸リナリル、フェニルエチルアルコール、α−ピネン、β−ピネン、γ−ピネン、α−ヨノン、β−ヨノン、γ−ヨノン、α−テルピネオール、β−テルピネオール、酢酸テルピニル、テンタローム等が挙げられ、これらの１種を単独で又は２種以上を組み合わせて用いることができる。
【００７３】
香料として用いられる中揮発性香料成分としては、例えばアミルシンナムアルデヒド、ジヒドロジャスモン酸メチル、サリチル酸イソアミル、β−カリオフィレン、セドレン、セドリルメチルエーテル、桂皮アルコール、クマリン、ジメチルベンジルカルビニルアセテート、イソオイゲノール、γ−メチルヨノン、ヘリオトロピン、サリチル酸ヘキシル、サリチル酸シス−３−ヘキセニル、フェニルヘキサノール、ペンタライド等が挙げられ、これらの１種を単独で又は２種以上を組み合わせて用いることができる。
【００７４】
香料として、上述の高揮発性及び中揮発性香料成分以外に、あるいはこれら香料成分に加えてさらに、バラ香調、ラベンダー香調、ジャスミン香調、イランイラン香調を有する香料を含有した香料組成物を用いることもできる。このような香料組成物としては、例えば、ネロール、ラバンジュロール、ジャスマール、シクロピデン等が挙げられ、これらの１種を単独で又は２種以上を組み合わせて用いることができる。香料には、上述した香料素材単体、及び天然精油や調合ベースのように、「複数の香料によって構成される香料素材が組み合わされたもの（香料組成物）で、溶剤によって希釈・調整されたもの」が含まれる。例えば、香料として、バラ、ラベンダー、ジャスミン、イランイラン様香気を有する香料を含有する香料組成物を用いることができる。
【００７５】
［他の実施形態］
以上、本発明の実施形態について説明したが、本発明は上述の実施形態にのみ限定されるものではなく、本発明の要旨を逸脱しない範囲内において種々変更を加え得ることは勿論である。
【００７６】
上記実施形態では、中間コア部２２の幅が前後方向に亘って同一幅となる直線部分を含む括れ形状を有する吸収性コア２０を例にあげて説明しているが、吸収性コア２０の括れ形状が、中間コア部２２の前後方向の中央の側縁部が幅方向内側に括れる湾曲形状、より具体的には、円弧状であってもよい。中間コア部２２は、着用時に着用者の両脚の間に位置する排泄部が主に対向する部分であり、主に両脚によって挟まれる領域に対応して括れ形状が形成される。
上記第１の高坪量部３１は、中間コア部２２に位置すればよく、全てが中間コア部２２内に納まるように位置してもよいし、上記実施形態のように後端部が後方コア部２３の一部まで及ぶ形態であってもよい。また、第１の高坪量部３１の前端部が前方コア部２１の一部まで及ぶ形態であってもよい。
【００７７】
また、吸収性コアの形状は上記実施形態の吸収性コア２０に限定されない。以下、図９（Ａ）〜（Ｃ）を用いて他の例について説明する。各図において、符号３１、３２、３３はそれぞれ第１の高坪量部、第２の高坪量部、低坪量部を示し、これらは、上記実施形態の吸収性コア２０における第１の高坪量部３１、第２の高坪量部３２、低坪量部３３と同様の坪量及び厚み関係となっている。
【００７８】
図９（Ａ）〜（Ｃ）に示すいずれの吸収性コアにおいても、排泄部対向部となる中間コア部２２が幅狭となっており、中間コア部２２に第１の高坪量部３１を有し、後方コア部２３に幅方向Ｙの中央部の坪量が、幅方向Ｙ両側部よりも高い坪量を有するように構成される。
このような構成を有することにより、上記実施形態と同様に、吸収性コアを備えるナプキンの排泄部に対するフィット性及び液の吸収性を向上させ、更に、ナプキンの後方部において、臀裂を埋めるようなナプキンの変形を促して液の吸収性の向上及び液の漏れの発生を抑制させることができる。
【００７９】
図９（Ａ）に示す吸収性コア５１は、第１の高坪量部３１と第２の高坪量部３２との間に吸収性コア５１の幅方向Ｙに沿って幅方向Ｙの全幅に亘って位置する横溝部２８を有する以外、周縁溝部、縦溝部及び横溝部を有していない。
尚、第１の高坪量部３１と第２の高坪量部３２との間の横溝部２８を設けなくてもよいが、横溝部２８を設けることによって着用者の体の形状に沿うように変形しやすくなり、フィット性が向上する。以下の図９（Ｂ）及び（Ｃ）に示す例においても同様である。
【００８０】
図９（Ｂ）に示す吸収性コア５２は、第１の高坪量部３１と第２の高坪量部３２との間に吸収性コア５２の幅方向Ｙに沿って幅方向Ｙの全幅に亘って位置する横溝部２８、周縁溝部２６、前方コア部２１及び後方コア部２３の幅方向Ｙ中央部に複数の縦溝部２７を有している。前後方向Ｘに延在する縦溝部２７は、前方コア部２１及び後方コア部２３にそれぞれ複数、ここでは３つ設けられる。そのうち中央に位置する縦溝部２７は吸収性コア５２の幅方向Ｙの中心線上に位置し、他の２つの縦溝部２７は、第２の高坪量部３２と低坪量部３３との境界に位置する。
このように、厚みが厚く、変形し難い第２の高坪量部３２に、部分的に低坪量の縦溝部２７を設けることによって、厚みを維持しつつも体の形状に沿って変形する柔軟性を第２の高坪量部３２に持たせることができる。これにより、このような吸収性コア５２を備えるナプキンでは、後方部中央部が臀裂にむかって凸となる変形が促される。
また、中間コア部２２において、周縁溝部２６が設けられることにより、着用時の第１の高坪量部３１の肌側への起立がより促される。
尚、第１の高坪量部３１の幅方向中央に、前方コア部２１及び後方コア部２３の幅方向中心に位置する縦溝部２７と前後方向Ｘに沿って連なる縦溝部を設けてもよい。
【００８１】
図９（Ｃ）に示す吸収性コア５３は、第１の高坪量部３１と第２の高坪量部３２との間に吸収性コア５３の幅方向Ｙに沿って幅方向Ｙの全幅に亘って位置する横溝部２８と、前方コア部２１及び後方コア部２３それぞれの幅方向Ｙ中央部に複数の横溝部２８と、を有している。
このように、厚みが厚く、変形し難い第２の高坪量部３２に、部分的に低坪量の横溝部２８を設けることによって、厚みを維持しつつも体の形状に沿って変形する柔軟性を第２の高坪量部３２に持たせることができる。このような吸収性コア５３を備えるナプキンでは、前方部及び後方部において体の形状に沿った変形が促され、フィット性が向上する。
【００８２】
また、上述の実施形態では、吸収性物品として生理用ナプキンの例を示したが、これに限定されない。本発明の吸収性物品は、例えば、失禁パットやおりものシート、使い捨ておむつ等であってもよい。
【符号の説明】
【００８３】
１…吸収性物品（生理用ナプキン、ナプキン）
２０、５１、５２、５３…吸収性コア
２１…前方コア部
２２…中間コア部
２３…後方コア部
３１…第１の高坪量部（高坪量部）
【図１】
2020188981.tif 000003
【図２】
2020188981.tif 000004
【図３】
2020188981.tif 000005
【図４】
2020188981.tif 000006
【図５】
2020188981.tif 000007
【図６】
2020188981.tif 000008
【図７】
2020188981.tif 000009
【図８】
2020188981.tif 000010
【図９】
2020188981.tif 000011